【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
１以上の端末と、第１のネットワークを介して接続された接続装置と、を備えるネットワークシステムであって、
前記１以上の端末は、前記第１のネットワークを介してデータを送信し、
前記接続装置は、前記第１のネットワークを介して前記データを受信し、第２のネットワークを介して前記データを送信し、
前記接続装置は、前記第２のネットワークの通信品質を取得し、
前記１以上の端末は、前記通信品質と前記データの重要度とによって決定される冗長度に対応する回数、前記データを送信すること、
を特徴とするネットワークシステム。
【請求項２】
前記１以上の端末は、前記冗長度とＱｏＳレベルとの組み合わせを保持し、
前記接続装置は、
前記重要度と前記ＱｏＳレベルとの組み合わせを保持し、
前記通信品質に従って、前記重要度と前記ＱｏＳレベルとの組み合わせを抽出し、
前記端末は、
前記抽出された組み合わせの前記ＱｏＳレベルに対応する前記冗長度を選択し、
前記選択された前記冗長度に対応する回数、前記データを送信すること、
を特徴とする請求項１に記載のネットワークシステム。
【請求項３】
前記接続装置は、
前記重要度と前記冗長度との組み合わせを保持し、
前記通信品質に従って、前記重要度と前記冗長度との組み合わせを抽出し、
前記端末は、
前記抽出された組み合わせの前記冗長度に対応する回数、前記データを送信すること、
を特徴とする請求項１に記載のネットワークシステム。
【請求項４】
前記１以上の端末は、単位時間当たりの重要度毎のデータ量を取得し、
前記接続装置は、
前記重要度それぞれに対して複数の前記冗長度を対応させ、
前記単位時間当たりの重要度毎のデータ量と前記複数の冗長度とをそれぞれ乗じ、複数の重要度毎のデータ量を算出し、
前記算出された前記複数の重要度毎のデータ量を足し合わせ、前記第１のネットワークを介して受信する総データ量を算出し、
前記算出された総データ量のうち、前記第２のネットワークの通信品質によって送信可能な前記総データ量を抽出し、
前記抽出された総データ量の算出に用いた前記冗長度を抽出し、
前記１以上の端末は、前記抽出された冗長度に従って、前記冗長度に対応する回数、前記データを送信すること、
を特徴とする請求項１に記載のネットワークシステム。
【請求項５】
前記接続装置は、
前記通信品質に係る通信速度の条件毎に、前記重要度と前記ＱｏＳレベルとの組み合わせを保持し、
前記通信速度の変動に伴い、前記重要度と前記ＱｏＳレベルとの組み合わせを、前記通信品質によって送信可能な前記重要度と前記ＱｏＳレベルとの組み合わせに更新すること、
を特徴とする請求項４に記載のネットワークシステム。
【請求項６】
前記接続装置は、
前記通信品質において送信可能なデータの前記重要度と前記ＱｏＳレベルとの組み合わせを抽出し、
前記重要度と前記ＱｏＳレベルの組み合わせを前記１以上の端末に送信し、
前記１以上の端末は、前記重要度と前記ＱｏＳレベルの組み合わせから、前記重要度に対応した前記冗長度を選択し、
前記冗長度に従って、前記重要度が低い前記データを送信しないことを特徴とする、請求項２に記載のネットワークシステム。
【請求項７】
１以上の端末と第１のネットワークを介して接続された接続装置であって、
前記接続装置は、
第２のネットワークの通信品質を取得し、
前記１以上の端末が取得したデータの重要度と、前記通信品質とによって決定される冗長度に対応する回数、前記第１のネットワークを介して前記データを受信し、
前記第２のネットワークを介してデータを送信すること、
を特徴とする接続装置。
【請求項８】
前記接続装置は、
前記重要度とＱｏＳレベルとの組み合わせを保持し、
前記通信品質に従って、前記重要度と前記ＱｏＳレベルとの組み合わせを抽出し、
前記抽出された前記重要度と前記ＱｏＳレベルとの組み合わせを前記端末に送信し、
前記送信された前記ＱＯＳレベルに対応する前記冗長度に対応する回数、前記１以上の端末から前記データを受信すること、
を特徴とする請求項７に記載の接続装置。
【請求項９】
前記接続装置は、
前記重要度と前記冗長度との組み合わせを保持し、
前記通信品質に従って、前記重要度と前記冗長度との組み合わせを抽出し、
前記抽出された前記重要度と前記冗長度との組み合わせを前記端末に送信し、
前記送信された前記冗長度に対応する回数、前記端末から前記データを受信すること、
を特徴とする請求項７に記載の接続装置。
【請求項１０】
前記接続装置は、
前記１以上の端末が取得した単位時間当たりの重要度毎のデータ量を、前記１以上の端末から取得し、
前記重要度それぞれに対して複数の前記冗長度を対応させ、
前記単位時間当たりの重要度毎のデータ量と前記複数の冗長度とをそれぞれ乗じ、複数の重要度毎のデータ量を算出し、
前記算出された複数の重要度毎のデータ量を足し合わせ、前記第１のネットワークを介して受信する総データ量を算出し、
前記算出された総データ量のうち、前記第２のネットワークの通信品質によって送信可能な前記総データ量を抽出し、
前記抽出された総データ量の算出に用いた前記冗長度を抽出し、
前記抽出された前記冗長度に対応する回数、前記データを受信すること、
を特徴とする請求項７に記載の接続装置。
【請求項１１】
１以上の端末と、第１のネットワークを介して接続された接続装置と、を備えるネットワークシステムにおけるデータ通信方法であって、
前記１以上の端末は、前記第１のネットワークを介してデータを送信し、
前記接続装置は、前記第１のネットワークを介して前記データを受信し、第２のネットワークを介して前記データを送信し、
前記接続装置は、前記第２のネットワークの通信品質を取得し、
前記１以上の端末は、前記通信品質と前記データの重要性とによって決定される冗長度に対応する回数、前記データを送信すること、
を特徴とするデータ通信方法。
【請求項１２】
前記１以上の端末は、前記冗長度とＱｏＳレベルとの組み合わせを保持し、
前記接続装置は、
前記重要度と前記ＱｏＳレベルとの組み合わせを保持し、
前記通信品質に従って、前記重要度と前記ＱｏＳレベルとの組み合わせを抽出し、
前記端末は、
前記抽出された組み合わせの前記ＱｏＳレベルに対応する前記冗長度を選択し、
前記選択された前記冗長度に対応する回数、前記データを送信すること、
を特徴とする請求項１１に記載のデータ通信方法。
【請求項１３】
前記接続装置は、
前記重要度と前記冗長度との組み合わせを保持し、
取得された前記通信品質に従って、前記重要度と前記冗長度との組み合わせを抽出し、
前記端末は、
前記抽出された組み合わせの前記冗長度に対応する回数、前記データを送信すること、
を特徴とする請求項１１に記載のデータ通信方法。
【請求項１４】
前記１以上の端末は、単位時間当たりの重要度毎のデータ量を取得し、
前記接続装置は、
前記重要度それぞれに対して複数の前記冗長度を対応させ、
前記単位時間当たりの重要度毎のデータ量と前記複数の冗長度とをそれぞれ乗じ、複数の重要度毎のデータ量を算出し、
前記算出された複数の重要度毎のデータ量を足し合わせ、前記第１のネットワークを介して受信する総データ量を算出し、
前記算出された総データ量のうち、前記第２のネットワークの通信品質によって送信可能な前記総データ量を抽出し、
前記抽出された総データ量の算出に用いた前記冗長度を抽出し、
前記１以上の端末は、前記抽出された冗長度に従って、前記冗長度に対応する回数、前記データを送信すること、
を特徴とする請求項１１に記載のデータ通信方法。
【手続補正２】
【補正対象書類名】明細書
【補正対象項目名】００１０
【補正方法】変更
【補正の内容】
【００１０】
本発明の代表的な一例を示せば以下の通りである。すなわち、１以上の端末と、第１のネットワークを介して接続された接続装置と、を備えるネットワークシステムであって、前記１以上の端末は、前記第１のネットワークを介してデータを送信し、前記接続装置は、前記第１のネットワークを介して前記データを受信し、第２のネットワークを介して前記データを送信し、前記接続装置は、前記第２のネットワークの通信品質を取得し、前記１以上の端末は、前記通信品質と前記データの重要度とによって決定される冗長度に対応する回数、前記データを送信する。